(57)【要約】【課題】無線通信システムにおいて制御情報を効率よく送信／受信する方法およびそのための装置を実現する。【解決手段】本発明は、無線通信システムに関する。具体的には、無線通信システムにおいて端末が制御チャネル信号を受信する方法およびそのための装置において、複数の制御チャネルセットを有するサブフレームを受信するステップであって、該複数の制御チャネルセットのそれぞれは、複数の制御チャネル候補を有するステップと、前記制御チャネル信号の受信のために、前記サブフレームで少なくとも一つの制御チャネルセットをモニタリングするステップと、を有し、複数の制御チャネルセットのそれぞれにおいて複数の制御チャネル候補は、制御チャネルセット−固有の初期値を有するスクランブルシーケンスによってスクランブルされている方法およびそのための装置が提供される。【選択図】図１２
2015534402.tif 000002
【特許請求の範囲】
【請求項１】
無線通信システムにおいて端末が制御チャネル信号を受信する方法であって、
複数の制御チャネルセットを有するサブフレームを受信するステップであって、該複数の制御チャネルセットのそれぞれは、複数の制御チャネル候補を有するステップと、
前記制御チャネル信号の受信のために、前記サブフレームで少なくとも一つの制御チャネルセットをモニタリングするステップと、を有し、
【数１】
2015534402.tif 000045
【数２】
2015534402.tif 000046
【数３】
2015534402.tif 000047
【請求項２】
Ｘ＝０であり、ｑ＝０である、請求項１に記載の方法。
【請求項３】
【数４】
2015534402.tif 000048
【数５】
2015534402.tif 000049
【数６】
2015534402.tif 000050
【請求項４】
前記制御チャネル信号は、Ｅ−ＰＤＣＣＨ信号であり、前記複数の制御チャネルセットは、複数のＥ−ＰＤＣＣＨセットであり、前記複数の制御チャネル候補は、複数のＥ−ＰＤＣＣＨ候補である、請求項１に記載の方法。
【請求項５】
前記モニタリングは、該当の制御チャネルセットにおいて前記複数の制御チャネル候補のそれぞれを前記スクランブルシーケンスを用いてデコーディングすることを有する、請求項１に記載の方法。
【請求項６】
前記複数の制御チャネルセットのそれぞれに関するＲＢ割当情報を有するＲＲＣメッセージを受信するステップをさらに有する、請求項１に記載の方法。
【請求項７】
前記複数の制御チャネル候補は、前記サブフレーム上でＰＤＳＣＨとＦＤＭ方式によって多重化されている、請求項１に記載の方法。
【請求項８】
無線通信システムにおいて制御チャネル信号を受信するように構成された端末であって、
ＲＦユニットと、
プロセッサと、を有し、
前記プロセッサは、
複数の制御チャネルセットを有するサブフレームを受信することであって、該複数の制御チャネルセットのそれぞれは、複数の制御チャネル候補を有することと、
前記制御チャネル信号の受信のために、前記サブフレームで少なくとも一つの制御チャネルセットをモニタリングすることと、を行うように構成され、
【数７】
2015534402.tif 000051
【数８】
2015534402.tif 000052
【数９】
2015534402.tif 000053
【請求項９】
Ｘ＝０であり、ｑ＝０である、請求項８に記載の端末。
【請求項１０】
【数１０】
2015534402.tif 000054
【数１１】
2015534402.tif 000055
【数１２】
2015534402.tif 000056
【請求項１１】
前記制御チャネル信号は、Ｅ−ＰＤＣＣＨ信号であり、前記複数の制御チャネルセットは、複数のＥ−ＰＤＣＣＨセットであり、前記複数の制御チャネル候補は、複数のＥ−ＰＤＣＣＨ候補である、請求項８に記載の端末。
【請求項１２】
前記モニタリングは、該当の制御チャネルセットにおいて前記複数の制御チャネル候補のそれぞれを前記スクランブルシーケンスを用いてデコーディングすることを有する、請求項８に記載の端末。
【請求項１３】
前記プロセッサは、さらに、前記複数の制御チャネルセットのそれぞれに関するＲＢ割当情報を有するＲＲＣメッセージを受信するように構成された、請求項８に記載の端末。
【請求項１４】
前記複数の制御チャネル候補は、前記サブフレーム上でＰＤＳＣＨとＦＤＭ方式によって多重化されている、請求項８に記載の端末。
【発明の詳細な説明】
【技術分野】
【０００１】
本発明は、無線通信システムに関し、特に、制御情報を送受信する方法および制御情報を送受信する装置に関する。
【背景技術】
【０００２】
無線通信システムが音声やデータなどの種々の通信サービスを提供するために広範囲に展開されている。一般に、無線通信システムは、使用可能なシステムリソース（帯域幅、送信電力など）を共有して複数のユーザとの通信をサポートできる多元接続（multiple access）システムである。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【発明の概要】
【発明が解決しようとする課題】
【０００３】
本発明の目的は、無線通信システムにおいて制御情報を効率よく送信／受信する方法およびそのための装置を提供することにある。また、本発明は、制御チャネル信号を効率よく送信／受信する方法およびそのための装置を提供することにある。
【０００４】
本発明で達成しようとする技術的課題は、以上で言及している技術的課題に制限されず、言及していない他の技術的課題は、以下の記載から、本発明の属する技術の分野における通常の知識を有する者には明らかになるであろう。
【課題を解決するための手段】
【０００５】
【数１】
2015534402.tif 000003
【数２】
2015534402.tif 000004
【数３】
2015534402.tif 000005
【０００６】
【数４】
2015534402.tif 000006
【数５】
2015534402.tif 000007
【数６】
2015534402.tif 000008
【０００７】
好ましくは、Ｘ＝０であり、ｑ＝０である。
【０００８】
【数７】
2015534402.tif 000009
【数８】
2015534402.tif 000010
【数９】
2015534402.tif 000011
【０００９】
好ましくは、制御チャネル信号は、拡張物理下りリンク制御チャネル（Enhanced Physical Downlink Control CHannel；Ｅ−ＰＤＣＣＨ）信号であり、複数の制御チャネルセットは、複数のＥ−ＰＤＣＣＨセットであり、複数の制御チャネル候補は、複数のＥ−ＰＤＣＣＨ候補である。
【００１０】
好ましくは、モニタリングは、該当の制御チャネルセットにおいて複数の制御チャネル候補のそれぞれをスクランブルシーケンスを用いてデコーディングすることを有する。
【００１１】
好ましくは、複数の制御チャネルセットのそれぞれに関するリソースブロック（Resource Block；ＲＢ）割当情報を有する無線リソース制御（Radio Resource Control；ＲＲＣ）メッセージを受信することをさらに有する。
【００１２】
好ましくは、複数の制御チャネル候補は、サブフレーム上で物理下りリンク共有チャネル（Physical Downlink Shared CHannel；ＰＤＳＣＨ）と周波数分割多重化（Frequency Division Multiplexing；ＦＤＭ）方式によって多重化される。
【発明の効果】
【００１３】
本発明によれば、無線通信システムにおいて制御情報を効率よく送信／受信することが可能になる。また、制御チャネル信号を効率よく送信／受信することが可能になる。
【００１４】
本発明で得られる効果は、以上で言及した効果に制限されず、言及していない他の効果は、以下の記載から、本発明の属する技術の分野における通常の知識を有する者には明確に理解されるであろう。
【図面の簡単な説明】
【００１５】
【図１】ＬＴＥ（−Ａ）システムに用いられる物理チャネルおよびこれらのチャネルを用いた一般的な信号送信方法を例示する図である。
【図２】ＬＴＥ（−Ａ）システムに用いられる無線フレームの構造を例示する図である。
【図３】下りリンクスロットのリソースグリッドを例示する図である。
【図４】下りリンクサブフレームの構造を例示する図である。
【図５】送信端でＰＤＣＣＨ（Physical Downlink Control CHannel）を構成する例を示す図である。
【図６】受信端でＰＤＣＣＨを処理する例を示す図である。
【図７】キャリアアグリゲーション（Carrier Aggregation；ＣＡ）通信システムを例示する図である。
【図８】クロス−キャリアスケジューリング（cross-carrier scheduling）を例示する図である。
【図９】サブフレームのデータ領域にＥ−ＰＤＣＣＨ（Enhanced PDCCH）を割り当てる例を示す図である。
【図１０】Ｅ−ＰＤＣＣＨのためのリソース割当とＰＤＳＣＨ受信処理を例示する図である。
【図１１】Ｅ−ＰＤＣＣＨセットを例示する図である。
【図１２】本発明によって送信端でＥ−ＰＤＣＣＨを構成する例を示す図である。
【図１３】本発明によって受信端でＥ−ＰＤＣＣＨを処理する例を示す図である。
【図１４】本発明に適用可能な基地局および端末を例示する図である。
【発明を実施するための形態】
【００１６】
本発明に関する理解を助けるために詳細な説明の一部として含まれる添付図面は、本発明に係る実施例を提供し、詳細な説明と共に本発明の技術的思想を説明する。
【００１７】
以下の技術は、ＣＤＭＡ、ＦＤＭＡ、ＴＤＭＡ、ＯＦＤＭＡ、ＳＣ−ＦＤＭＡなどの様々な無線接続システムに用いることができる。ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Evolved UTRA）などの無線技術によって具現することができる。ＵＴＲＡは、ＵＭＴＳ（Universal Mobile Telecommunications System）の一部である。３ＧＰＰ（3rd Generation Partnership Project） ＬＴＥ（long term evolution）は、Ｅ−ＵＴＲＡを用いるＥ−ＵＭＴＳ（Evolved UMTS）の一部であり、下りリンクにおいてＯＦＤＭＡを採用し、上りリンクにおいてＳＣ−ＦＤＭＡを採用する。ＬＴＥ−Ａ（Advanced）は３ＧＰＰ ＬＴＥの進展したバージョンである。
【００１８】
説明を明確にするため、３ＧＰＰ ＬＴＥ／ＬＴＥ−Ａを中心に記述するが、本発明の技術的思想がこれに制限されることはない。また、以下の説明に用いられる特定の用語は、本発明の理解を助けるために提供されたもので、本発明の技術的思想から逸脱しない範囲で他の形態に変更されてもよい。
【００１９】
図１は、ＬＴＥ（−Ａ）システムに用いられる物理チャネルおよびこれらのチャネルを用いた一般的な信号送信方法を説明するための図である。
【００２０】
図１を参照すると、電源が消えた状態から再び電源がついたり、セルに新しく進入したりした端末は、ステップＳ１０１において、基地局と同期を取る等の初期セル探索（Initial cell search）作業を行う。そのために、端末は、基地局から１次同期チャネル（Primary Synchronization CHannel；Ｐ−ＳＣＨ）および２次同期チャネル（Secondary Synchronization CHannel；Ｓ−ＳＣＨ）を受信して基地局と同期を取り、セルＩＤ（cell identity）などの情報を取得する。その後、端末は、基地局から物理ブロードキャストチャネル（Physical Broadcast CHannel；ＰＢＣＨ）を受信してセル内のブロードキャスト情報を取得することができる。一方、端末は、初期セル探索ステップにおいて、下りリンク参照信号（DownLink Reference Signal；ＤＬ ＲＳ）を受信して下りリンクチャネル状態を確認することができる。
【００２１】
初期セル探索を終えた端末は、ステップＳ１０２において、物理下りリンク制御チャネル（Physical Downlink Control CHannel；ＰＤＣＣＨ）、および該物理下りリンク制御チャネル情報に対応する物理下りリンク共有チャネル（Physical Downlink Shared CHannel；ＰＤＳＣＨ）を受信し、より具体的なシステム情報を取得することができる。
【００２２】
その後、端末は、基地局への接続を確立するために、ステップＳ１０３乃至ステップＳ１０６のようにランダムアクセス手順（Random Access Procedure）を行うことができる。そのために、端末は、物理ランダムアクセスチャネル（Physical Random Access CHannel；ＰＲＡＣＨ）を介してプリアンブルを送信し（Ｓ１０３）、ＰＤＣＣＨおよびこれに対応するＰＤＳＣＨを介してプリアンブルに対する応答メッセージを受信することができる（Ｓ１０４）。競合ベースのランダムアクセスでは、追加のＰＲＡＣＨの送信（Ｓ１０５）、およびＰＤＣＣＨおよびこれに対応するＰＤＳＣＨの受信（Ｓ１０６）のような競合解決手順（Contention Resolution Procedure）を行うことができる。
【００２３】
以上の手順を行った端末は、その後、一般的な上りリンク／下りリンク信号送信手順として、ＰＤＣＣＨ／ＰＤＳＣＨの受信（Ｓ１０７）および物理上りリンク共有チャネル（Physical Uplink Shared CHannel；ＰＵＳＣＨ）／物理上りリンク制御チャネル（Physical Uplink Control CHannel；ＰＵＣＣＨ）の送信（Ｓ１０８）を行うことができる。
【００２４】
図２は、ＬＴＥ（−Ａ）で用いられる無線フレーム（radio frame）の構造を例示する。上りリンク／下りリンクデータパケットの送信は、サブフレーム単位に行われ、サブフレームは、複数のシンボルを含む時間区間として定義される。ＦＤＤ（Frequency Division Duplex）に適用可能なタイプ１無線フレーム構造、およびＴＤＤ（Time Division Duplex）に適用可能なタイプ２無線フレーム構造が用いられる。
【００２５】
図２（ａ）には、タイプ１の無線フレーム構造を例示する。下りリンク無線フレームは、１０個のサブフレームで構成され、サブフレームは時間ドメイン（time domain）において２個のスロットで構成される。例えば、サブフレームの長さは１ｍｓであり、スロットの長さは０．５ｍｓである。スロットは、時間ドメインにおいて複数のＯＦＤＭシンボルを含み、周波数ドメインにおいて複数のリソースブロック（Resource Block；ＲＢ）を含む。３ＧＰＰ ＬＴＥ（−Ａ）システムでは下りリンクにおいてＯＦＤＭを用いるため、ＯＦＤＭシンボルが１個のシンボル区間を表す。ＯＦＤＭシンボルは、ＳＣ−ＦＤＭＡシンボルまたはシンボル区間と呼ぶこともできる。リソース割当単位としてのリソースブロック（ＲＢ）は、１個のスロットにおいて複数の連続した副搬送波（subcarrier）を含むことができる。
【００２６】
スロットに含まれるＯＦＤＭシンボルの数は、ＣＰ（Cyclic Prefix）によって異なることがある。ＣＰには、拡張ＣＰ（extended CP）および標準ＣＰ（normal CP）がある。例えば、ＯＦＤＭシンボルが標準ＣＰによって構成された場合、１個のスロットに含まれるＯＦＤＭシンボルの数は７個であってもよい。ＯＦＤＭシンボルが拡張ＣＰによって構成された場合は、ＯＦＤＭシンボルの長さが増加するため、スロットに含まれるＯＦＤＭシンボルの数は、標準ＣＰの場合に比べて少なくなる。例えば、拡張ＣＰの場合、スロットに含まれるＯＦＤＭシンボルの数は６個であってもよい。端末が速い速度で移動する場合などのようにチャネル状態が不安定な場合は、シンボル間干渉をより低減するために拡張ＣＰを用いることができる。
【００２７】
標準ＣＰが用いられる場合、スロットは７個のＯＦＤＭシンボルを含むため、サブフレームは１４個のＯＦＤＭシンボルを含む。サブフレームの先頭の最大３個のＯＦＤＭシンボルはＰＤＣＣＨに割り当て、残りのＯＦＤＭシンボルはＰＤＳＣＨに割り当てることができる。
【００２８】
図２（ｂ）にはタイプ２の無線フレーム構造を例示する。タイプ２の無線フレームは、２個のハーフフレーム（half frame）で構成される。ハーフフレームは４（５）個の標準サブフレームおよび１（０）個のスペシャルサブフレームを含む。標準サブフレームは、ＵＬ−ＤＬ構成（UpLink-DownLink Configuration）によって上りリンクまたは下りリンクに用いられる。サブフレームは２個のスロットで構成される。
【００２９】
図３に、下りリンクスロットのリソースグリッドを例示する。
【００３０】
図３を参照すると、下りリンクスロットは、時間ドメインにおいて複数のＯＦＤＭシンボルを含む。下りリンクスロットは、７（６）個のＯＦＤＭシンボルを含み、複数のリソースブロック（ＲＢ）を含む。リソースブロックは、周波数ドメインにおいて１２個の副搬送波を含むことができる。リソースグリッド上の各要素はリソース要素（Resource Element；ＲＥ）と呼ばれ、ＲＢは１２×７（６）個のＲＥを含む。下りリンクスロットに含まれるＲＢの個数ＮRBは、下りリンク送信帯域幅に依存する。上りリンクスロットの構造は下りリンクスロットの構造と同一であり、ただし、ＯＦＤＭシンボルがＳＣ−ＦＤＭＡシンボルに代替される。
【００３１】
図４に、下りリンクサブフレームの構造を例示する。
【００３２】
図４を参照すると、サブフレームの第１のスロットにおいて先頭部に位置している最大３（４）個のＯＦＤＭシンボルは、制御チャネルが割り当てられる制御領域に対応する。残りのＯＦＤＭシンボルは、ＰＤＳＣＨが割り当てられるデータ領域に該当する。ＬＴＥ（−Ａ）で用いられる下りリンク制御チャネルの例には、ＰＣＦＩＣＨ（Physical Control Format Indicator CHannel）、ＰＤＣＣＨ、ＰＨＩＣＨ（Physical Hybrid ARQ Indicator CHannel）などがある。
【００３３】
ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＣＦＩＣＨは４個のＲＥＧ（Resource Element Group）で構成され、それぞれのＲＥＧはセルＩＤに基づいて制御領域内に均等に分散される。ＰＣＦＩＣＨは１〜３（または２〜４）の値を示し、ＱＰＳＫ（Quadrature Phase Shift Keying）で変調される。ＰＨＩＣＨは上りリンク送信に対する応答としてＨＡＲＱ ＡＣＫ／ＮＡＣＫ信号を運ぶ。ＰＨＩＣＨ期間（duration）によって設定された一つ以上のＯＦＤＭシンボルにおいてＣＲＳ（Cell-specific Reference Signal）およびＰＣＦＩＣＨ以外の残りのＲＥＧ上にＰＨＩＣＨが割り当てられる。ＰＨＩＣＨは、周波数ドメイン上で最大限に分散された３個のＲＥＧに割り当てられる。
【００３４】
ＰＤＣＣＨは、サブフレームにおける先頭のｎ個のＯＦＤＭシンボル（以下、制御領域）内に割り当てられる。ここで、ｎは１以上の整数であり、ＰＣＦＩＣＨによって示される。ＰＤＣＣＨを介して送信される制御情報をＤＣＩ（Downlink Control Information）という。ＤＣＩフォーマットは、上りリンク用にフォーマット０、３、３Ａ、４、下りリンク用にフォーマット１、１Ａ、１Ｂ、１Ｃ、１Ｄ、２、２Ａ、２Ｂ、２Ｃなどが定義されている。ＤＣＩフォーマットは、用途によって、ホッピングフラグ（hopping flag）、ＲＢ割当、ＭＣＳ（Modulation Coding Scheme）、ＲＶ（Redundancy Version）、ＮＤＩ（New Data Indicator）、ＴＰＣ（Transmit Power Control）、サイクリックシフトＤＭ−ＲＳ（DeModulation Reference Signal）、ＣＳＩ（Channel State Information）要求、ＨＡＲＱプロセス番号、ＴＰＭＩ（Transmitted Precoding Matrix Indicator）、ＰＭＩ（Precoding Matrix Indicator）確認（confirmation）などの情報を選択的に含む。
【００３５】
ＰＤＣＣＨは、下りリンク共有チャネル（Downlink Shared CHannel；ＤＬ−ＳＣＨ）の送信フォーマットおよびリソース割当情報、上りリンク共有チャネル（UpLink Shared CHannel；ＵＬ−ＳＣＨ）の送信フォーマットおよびリソース割当情報、ページングチャネル（Paging CHannel；ＰＣＨ）上のページング情報、ＤＬ−ＳＣＨ上のシステム情報、ＰＤＳＣＨ上で送信されるランダムアクセス応答などの上位層制御メッセージのリソース割当情報、端末グループ内における個別端末への送信（Ｔｘ）電力制御の命令セット、ＶｏＩＰ（Voice over IP）の活性化指示情報などを運ぶ。基地局は、端末に送信するＤＣＩによってＰＤＣＣＨフォーマットを決定し、ＣＲＣ（Cyclic Redundancy Check）を制御情報に付加する。ＣＲＣは、ＰＤＣＣＨの所有者または使用目的によって識別子（例えば、ＲＮＴＩ（Radio Network Temporary Identifier））でマスク（mask）される。例えば、ＰＤＣＣＨが特定の端末のためのものであれば、端末識別子（例えば、Ｃ−ＲＮＴＩ（Cell-RNTI））をＣＲＣにマスクできる。ＰＤＣＣＨがページングメッセージのためのものであれば、ページング識別子（例えば、Ｐ−ＲＮＴＩ（Paging-RNTI））をＣＲＣにマスクできる。ＰＤＣＣＨがシステム情報（例えば、ＳＩＢ（System Information Block））のためのものであれば、ＳＩ−ＲＮＴＩ（System Information RNTI）をＣＲＣにマスクできる。ＰＤＣＣＨがランダムアクセス応答のためのものであれば、ＲＡ−ＲＮＴＩ（Random Access-RNTI）をＣＲＣにマスクできる。
【００３６】
複数のＰＤＣＣＨが１つのサブフレーム内で送信されうる。それぞれのＰＤＣＣＨは一つ以上のＣＣＥ（Control Channel Element）を用いて送信され、それぞれのＣＣＥは９個のＲＥＧで構成される。ＲＥＧは、４個のＲＥで構成される。ＣＣＥは、ＰＤＣＣＨに、無線チャネル状態に基づく符号化率（coding rate）を提供するために用いられる論理的割当ユニットである。ＰＤＣＣＨのフォーマットおよびＰＤＣＣＨビットの数は、ＣＣＥの個数（CCE aggregation level）によって決定される。
【００３７】
表１は、ＰＤＣＣＨフォーマットによるＣＣＥの個数、ＲＥＧの個数、ＰＤＣＣＨビット数を表すものである。
【００３８】
【表１】
2015534402.tif 000012
【００３９】
ＣＣＥには連続して番号を付け、デコーディングプロセスを単純化するために、ｎ個のＣＣＥで構成されたフォーマットを持つＰＤＣＣＨは、ｎの倍数に相当する数を持つＣＣＥでのみ始めることができる。特定のＰＤＣＣＨの送信のために用いられるＣＣＥの個数は、チャネル条件によって基地局で決定する。例えば、ＰＤＣＣＨが、良い（例えば、基地局に近接している）下りリンクチャネルを持つ端末のためのものであれば、一つのＣＣＥでも十分であろう。しかし、ＰＤＣＣＨが、悪い（例えば、セル境界に近接している）下りリンクチャネルを持つ端末のためのものであれば、十分なロバスト性（robustness）を得るために、８個のＣＣＥを使用することができる。また、ＰＤＣＣＨの電力レベルをチャネル条件に応じて調節することもできる。
【００４０】
ＬＴＥ（−Ａ）は、それぞれの端末のためにＰＤＣＣＨが位置し得る制限されたセットのＣＣＥ位置を定義する。端末が自体のＰＤＣＣＨを探すためにモニタリングすべき制限されたセットのＣＣＥ位置（等価なものとして、制限されたＣＣＥセットまたは制限されたＰＤＣＣＨ候補セット）を、探索空間（Search Space；ＳＳ）と呼ぶことができる。ここで、モニタリングは、それぞれのＰＤＣＣＨ候補をデコーディングすることを含む（ブラインドデコーディング）。ＵＥ−固有探索空間（UE-specific Search Space；ＵＳＳ）および共通探索空間（Common Search Space；ＣＳＳ）が定義される。ＵＳＳは端末ごとに設定され、ＣＳＳは１つまたは複数の端末に対して同一に設定される。ＵＳＳおよびＣＳＳはオーバーラップしてもよい。ＵＳＳの開始位置は、端末−固有で各サブフレームにおいてホッピングする。探索空間は、ＰＤＣＣＨフォーマットによって異なるサイズを有することがある。
【００４１】
表２は、ＣＳＳおよびＵＳＳのサイズを表すものである。
【００４２】
【表２】
2015534402.tif 000013
【００４３】
ブラインドデコーディング（Blind Decoding；ＢＤ）を試みる回数による計算負荷を管理下（under control）に置くために、定義された全てのＤＣＩフォーマットを同時に探索するように端末に要求することはない。一般に、ＵＳＳ内で端末は常にフォーマット０および１Ａを探索する。フォーマット０および１Ａは、互いに同一のサイズを有し、メッセージ内のフラグによって区別される。また、追加フォーマットを受信するように端末に要求することもある（例えば、基地局で設定されたＰＤＳＣＨ送信モードによって１、１Ｂまたは２）。ＣＳＳで端末はフォーマット１Ａおよび１Ｃをサーチする。また、端末はフォーマット３または３Ａをサーチするように設定されることもある。フォーマット３および３Ａは、フォーマット０および１Ａと同じサイズを有し、端末−固有識別子より、むしろ互いに異なる（共通）識別子でＣＲＣをスクランブル（scramble（拡散））することによって区別することができる。送信モード（Transmission Mode；ＴＭ）によるＰＤＳＣＨ送信手法、およびＤＣＩフォーマットの情報コンテンツを、次に述べる。
【００４４】
送信モード
●送信モード１：単一の基地局アンテナポートからの送信
●送信モード２：送信ダイバーシチ
●送信モード３：開ループ空間多重化
●送信モード４：閉ループ空間多重化
●送信モード５：マルチユーザＭＩＭＯ（Multiple Input Multiple Output）
●送信モード６：閉ループランク−１プリコーディング
●送信モード７：単一アンテナポート（ポート５）送信
●送信モード８：二重レイヤ送信（ポート７および８）または単一アンテナポート（ポート７または８）送信
●送信モード９〜１０：最大８個のレイヤ送信（ポート７〜１４）または単一アンテナポート（ポート７または８）送信
【００４５】
ＤＣＩフォーマット
●フォーマット０：ＰＵＳＣＨ送信のためのリソースグラント
●フォーマット１：単一コードワードＰＤＳＣＨ送信（送信モード１、２および７）のためのリソース割当
●フォーマット１Ａ：単一コードワードＰＤＳＣＨ（全てのモード）のためのリソース割当のコンパクトシグナリング
●フォーマット１Ｂ：ランク−１閉ループプリコーディングを用いるＰＤＳＣＨ（モード６）のためのコンパクトリソース割当
●フォーマット１Ｃ：ＰＤＳＣＨ（例えば、ページング／ブロードキャストシステム情報）のための非常にコンパクトなリソース割当
●フォーマット１Ｄ：マルチユーザＭＩＭＯを用いるＰＤＳＣＨ（モード５）のためのコンパクトリソース割当
●フォーマット２：閉ループＭＩＭＯ動作のＰＤＳＣＨ（モード４）のためのリソース割当
●フォーマット２Ａ：開ループＭＩＭＯ動作のＰＤＳＣＨ（モード３）のためのリソース割当
●フォーマット３／３Ａ：ＰＵＣＣＨおよびＰＵＳＣＨのための２ビット／１ビットの電力調整値を持つ電力制御命令
●フォーマット４：マルチアンテナ（multi-antenna）ポート送信モードに設定されたセルにおけるＰＵＳＣＨ送信のためのリソースグラント
【００４６】
ＤＣＩフォーマットは、ＴＭ−専用（dedicated）フォーマットとＴＭ−共通（common）フォーマットとに分類できる。ＴＭ−専用フォーマットは該当のＴＭにのみ設定されたＤＣＩフォーマットを意味し、ＴＭ−共通フォーマットは全てのＴＭに共通に設定されたＤＣＩフォーマットを意味する。例えば、ＴＭ８は、ＤＣＩフォーマット２ＢをＴＭ−専用ＤＣＩフォーマットとし、ＴＭ９は、ＤＣＩフォーマット２ＣをＴＭ−専用ＤＣＩフォーマットとし、ＴＭ１０は、ＤＣＩフォーマット２ＤをＴＭ−専用ＤＣＩフォーマットとすることができる。また、ＤＣＩフォーマット１ＡはＴＭ−共通ＤＣＩフォーマットであってもよい。
【００４７】
図５は、送信端（例えば、基地局）でＰＤＣＣＨを構成する例を示す図である。
【００４８】
図５を参照すると、基地局は、ＤＣＩフォーマットによって制御情報を生成する。基地局は、端末に送る制御情報によって複数のＤＣＩフォーマット（ＤＣＩ  ｆｏｒｍａｔ  １，２，…，Ｎ）のうち一つのＤＣＩフォーマットを選択することができる。ステップＳ４１０で、それぞれのＤＣＩフォーマットによって生成された制御情報にエラー検出のためのＣＲＣを付加する。ＣＲＣにはＰＤＣＣＨの所有者や用途によって識別子（例えば、ＲＮＴＩ）がマスクされる。言い換えると、ＰＤＣＣＨは識別子（例えば、ＲＮＴＩ）でＣＲＣスクランブルされる。
【００４９】
表３は、ＰＤＣＣＨにマスクされる識別子の例を表すものである。
【００５０】
【表３】
2015534402.tif 000014
【００５１】
Ｃ−ＲＮＴＩ、ＴＣ−ＲＮＴＩ（Temporary C-RNTI）またはＳＰＳ Ｃ−ＲＮＴＩ（Semi-Persistent Scheduling C-RNTI）が用いられる場合、ＰＤＣＣＨは特定の端末のための制御情報を運び、その他のＲＮＴＩが用いられる場合、ＰＤＣＣＨはセル内の全ての端末が受信する共通制御情報を運ぶ。ステップＳ４２０で、ＣＲＣが付加された制御情報にチャネルコーディングを行い、符号化された制御情報を生成する。符号化された制御情報は、割り当てられたＣＣＥアグリゲーションレベル（aggregation level）によってレートマッチング（rate matching）を行うことができる。ステップＳ４３０で、符号化された制御情報にスクランブルを適用する。スクランブルは、多重化された制御情報に適用し、具体的には、次のように行うことができる。
【００５２】
【数１０】
2015534402.tif 000015
【００５３】
【数１１】
2015534402.tif 000016
【００５４】
【数１２】
2015534402.tif 000017
【００５５】
【数１３】
2015534402.tif 000018
【００５６】
スクランブルは、下記の式によって行うことができる。
【００５７】
【数１４】
2015534402.tif 000019
【００５８】
【数１５】
2015534402.tif 000020
【００５９】
【数１６】
2015534402.tif 000021
【００６０】
【数１７】
2015534402.tif 000022
【００６１】
【数１８】
2015534402.tif 000023
【００６２】
ステップＳ４４０で、スクランブルされた制御情報を変調して変調シンボルを生成する。一つのＰＤＣＣＨを構成する変調シンボルは、ＣＣＥアグリゲーションレベルが１、２、４、８のいずれか一つであってよい。ステップＳ４５０で、変調シンボルをリソース要素（ＲＥ）にマッピング（CCE to RE mapping）する。
【００６３】
図６は、受信端（例えば、端末）がＰＤＣＣＨを処理する例を示す。
【００６４】
図６を参照すると、ステップＳ５１０において、端末は、物理的なリソース要素をＣＣＥにデマッピング（CCE to RE demapping）する。ステップＳ５２０で、端末は、自体がどのＣＣＥアグリゲーションレベルでＰＤＣＣＨを受信すべきかを知らず、それぞれのＣＣＥアグリゲーションレベルに対して復調（DeModulation）を行う。復調された制御情報に対してはレートデマッチング（rate dematching）を行うことができる。この場合、端末は、自体がどのＤＣＩフォーマット（またはＤＣＩペイロードサイズ）を持つ制御情報を受信すべきかを知らず、それぞれのＤＣＩフォーマット（またはＤＣＩペイロードサイズ）に対してレートデマッチングを行ってもよい。
【００６５】
【数１９】
2015534402.tif 000024
【００６６】
【数２０】
2015534402.tif 000025
【００６７】
ここで、スクランブルシーケンスｃ(ｉ)は、数式２から得られる。
【００６８】
【数２１】
2015534402.tif 000026
【００６９】
図７は、キャリアアグリゲーション（Carrier Aggregation；ＣＡ）通信システムを例示する。
【００７０】
図７を参照すると、複数の上りリンク／下りリンクコンポーネントキャリア（Component Carrier；ＣＣ）を集約して（aggregating）より広い上りリンク／下りリンク帯域幅をサポートすることができる。それぞれのＣＣは、周波数ドメインで互いに隣接してもよく、隣接しなくてもよい。各コンポーネントキャリアの帯域幅は、独立して定めることができる。ＵＬＣＣの個数とＤＬＣＣの個数とが異なる非対称キャリアアグリゲーションも可能である。一方、制御情報は特定のＣＣのみを介して送受信されるように設定することができる。このような特定のＣＣをプライマリＣＣと呼び、残りのＣＣをセカンダリＣＣと呼ぶことができる。一例として、クロス−キャリアスケジューリング（cross-carrier scheduling）（または、クロス−ＣＣスケジューリング）を適用する場合、下りリンク割当のためのＰＤＣＣＨは、ＤＬ ＣＣ＃０で送信し、該当のＰＤＳＣＨは、ＤＬ ＣＣ＃２で送信することができる。“コンポーネントキャリア”という用語は、等価な別の用語（例えば、キャリア、セルなど）に代えてもよい。
【００７１】
クロス−ＣＣスケジューリングのために、ＣＩＦ（Carrier Indicator Field）を用いる。ＰＤＣＣＨ内にＣＩＦが存在するか否かを通知する設定が半−静的で端末−固有（または、端末グループ−固有）に上位層シグナリング（例えば、ＲＲＣシグナリング）によってイネーブル（enable）されうる。ＰＤＣＣＨ送信の基本事項を下記のようにまとめることができる。
【００７２】
◆ＣＩＦディセーブルド（disabled）：ＤＬ ＣＣ上のＰＤＣＣＨによって、同一のＤＬ ＣＣ上にＰＤＳＣＨリソースを、または、単一のリンクされたＵＬ ＣＣ上にＰＵＳＣＨリソースを、割り当てる。
【００７３】
●Ｎｏ ＣＩＦ
【００７４】
◆ＣＩＦイネーブルド（enabled）：ＤＬ ＣＣ上のＰＤＣＣＨによって、ＣＩＦを用いて、複数の集約されたＤＬ／ＵＬ ＣＣのうちの一つのＤＬ／ＵＬ ＣＣ上に、ＰＤＳＣＨまたはＰＵＳＣＨリソースを割り当てることができる。
【００７５】
●ＣＩＦを有するように拡張されたＬＴＥ ＤＣＩフォーマット
−    ＣＩＦ（設定される場合）は、固定されたｘ−ビットフィールド（例えば、ｘ＝３）
−    ＣＩＦ（設定される場合）の位置は、ＤＣＩフォーマットサイズにかかわらず固定される
【００７６】
ＣＩＦが存在する場合、基地局は、端末側におけるＢＤ複雑度を低減するためにモニタリングＤＬ ＣＣ（セット）を割り当てることができる。ＰＤＳＣＨ／ＰＵＳＣＨスケジューリングのために、端末は、該当のＤＬ ＣＣでのみＰＤＣＣＨの検出／デコーディングを行うことができる。また、基地局は、モニタリングＤＬ ＣＣ（セット）のみを用いてＰＤＣＣＨを送信することができる。モニタリングＤＬ ＣＣセットは、端末−固有、端末グループ−固有、またはセル−固有の方式で設定することができる。
【００７７】
図８は、３個のＤＬ ＣＣが集約され、ＤＬ ＣＣ ＡがモニタリングＤＬ ＣＣとして設定された場合を例示する。ＣＩＦがディセーブルになると、ＬＴＥ ＰＤＣＣＨ規則に従って、各ＤＬ ＣＣは、ＣＩＦを用いずに各ＤＬ ＣＣのＰＤＳＣＨをスケジューリングするＰＤＣＣＨを送信することができる。一方、ＣＩＦが上位層シグナリングによってイネーブルになると、ＣＩＦを用いて、ＤＬ ＣＣ Ａのみが、ＤＬ ＣＣ ＡのＰＤＳＣＨだけでなく、他のＤＬ ＣＣのＰＤＳＣＨもスケジューリングするＰＤＣＣＨを送信することができる。モニタリングＤＬ ＣＣとして設定されていないＤＬ ＣＣ ＢおよびＣではＰＤＣＣＨが送信されない。ここで、モニタリングＤＬ ＣＣは、モニタリングキャリア、モニタリングセル、スケジューリングキャリア、スケジューリングセル、サービングキャリア、サービングセルなどの等価な用語に代えてもよい。ＰＤＣＣＨに対応するＰＤＳＣＨが送信されるＤＬ ＣＣ、ＰＤＣＣＨに対応するＰＵＳＣＨが送信されるＵＬ ＣＣは、被スケジューリングキャリア、被スケジューリングセルなどと呼ぶこともできる。
【００７８】
ＦＤＤ ＤＬキャリア、ＴＤＤ ＤＬサブフレームは、図４で述べたように、サブフレームにおける先頭ｎ個のＯＦＤＭシンボルを、各種の制御情報を送信するための物理チャネルであるＰＤＣＣＨ、ＰＨＩＣＨ、ＰＣＦＩＣＨなどの送信に使用し、残りのＯＦＤＭシンボルをＰＤＳＣＨの送信に使用する。各サブフレームで制御チャネルの送信に用いられるシンボルの個数（ｎ）は、ＰＣＦＩＣＨなどの物理チャネルを用いて動的に、或いはＲＲＣシグナリングを用いて半−静的に端末に伝達される。ｎの値は、サブフレーム特性およびシステム特性（ＦＤＤ／ＴＤＤ、システム帯域幅など）によって、１シンボルから最大４シンボルまで設定することができる。一方、従来のＬＴＥシステムにおいてＤＬ／ＵＬスケジューリングおよび各種の制御情報を送信するための物理チャネルであるＰＤＣＣＨは、限られたＯＦＤＭシンボルで送信されるなどの制約があった。そのため、ＬＴＥ−Ａシステムでは、ＰＤＳＣＨとＦＤＭ方式によってより自由に多重化されるＥ−ＰＤＣＣＨ（enhanced PDCCH）を導入している。
【００７９】
図９は、サブフレームにＥ−ＰＤＣＣＨを割り当てる例を示している。
【００８０】
図９を参照すると、サブフレームの制御領域（図４参照）には、従来のＬＴＥ（−Ａ）に基づくＰＤＣＣＨ（便宜上、レガシー（Legacy）ＰＤＣＣＨ、Ｌ−ＰＤＣＣＨ）を割り当てることができる。図中、Ｌ−ＰＤＣＣＨ領域は、レガシーＰＤＣＣＨが割り当てられうる領域を意味する。コンテキスト（context）によって、Ｌ−ＰＤＣＣＨ領域は、制御領域、制御領域内で実際にＰＤＣＣＨが割り当てられうる制御チャネルリソース領域（すなわち、ＣＣＥリソース）、またはＰＤＣＣＨ探索空間を意味することができる。一方、データ領域（例えば、ＰＤＳＣＨのためのリソース領域、図４参照）内にＰＤＣＣＨをさらに割り当てることができる。データ領域に割り当てられたＰＤＣＣＨをＥ−ＰＤＣＣＨと呼ぶ。図示のように、Ｅ−ＰＤＣＣＨによって制御チャネルリソースをさらに確保することによって、Ｌ−ＰＤＣＣＨ領域の限られた制御チャネルリソースによるスケジューリングの制約を緩和することができる。データ領域において、Ｅ−ＰＤＣＣＨとＰＤＳＣＨとはＦＤＭ方式によって多重化される。
【００８１】
具体的には、Ｅ−ＰＤＣＣＨは、ＤＭ−ＲＳ（DeModulation Reference Signal）に基づいて検出／復調できる。Ｅ−ＰＤＣＣＨは、時間軸上でＰＲＢ（Physical Resource Block）ペア（pair）にわたって送信される構造を有する。より具体的には、Ｅ−ＰＤＣＣＨ検出のための探索空間（Search Space；ＳＳ）を１つまたは複数（例えば、２つ）のＥ−ＰＤＣＣＨセットで構成することができる。それぞれのＥ−ＰＤＣＣＨセットは、複数（例えば、２，４，８）のＰＲＢペアを占有できる。Ｅ−ＰＤＣＣＨセットを構成するｅＣＣＥ（Enhanced CCE）は、（１つのｅＣＣＥが複数のＰＲＢペアに分散されているか否かによって）局在された（localized）または分散された（distributed）形態でマッピングされうる。また、Ｅ−ＰＤＣＣＨベースのスケジューリングが設定される場合、どのサブフレームでＥ−ＰＤＣＣＨ送信／検出を行うかを指定することができる。Ｅ−ＰＤＣＣＨは、ＵＳＳのみで構成できる。端末は、Ｅ−ＰＤＣＣＨ送信が行えるように設定されたサブフレーム（以下、Ｅ−ＰＤＣＣＨサブフレーム）でのみ、Ｌ−ＰＤＣＣＨ ＣＳＳおよびＥ−ＰＤＣＣＨ ＵＳＳに対してＤＣＩ検出を試み、Ｅ−ＰＤＣＣＨ送信が行えないように設定されたサブフレーム（すなわち、ノン−Ｅ−ＰＤＣＣＨサブフレーム）では、Ｌ−ＰＤＣＣＨ ＣＳＳおよびＬ−ＰＤＣＣＨ ＵＳＳに対してＤＣＩ検出を試みることができる。
【００８２】
Ｌ−ＰＤＣＣＨと同様に、Ｅ−ＰＤＣＣＨもＤＣＩを運ぶ。例えば、Ｅ−ＰＤＣＣＨは、下りリンクスケジューリング情報、上りリンクスケジューリング情報を運ぶことができる。Ｅ−ＰＤＣＣＨ／ＰＤＳＣＨ処理およびＥ−ＰＤＣＣＨ／ＰＵＳＣＨ処理は、図１のステップＳ１０７およびＳ１０８を参照して説明した処理と類似／同一である。すなわち、端末は、Ｅ−ＰＤＣＣＨを受信し、Ｅ−ＰＤＣＣＨに対応するＰＤＳＣＨを介してデータ／制御情報を受信することができる。また、端末は、Ｅ−ＰＤＣＣＨを受信し、Ｅ−ＰＤＣＣＨに対応するＰＵＳＣＨを介してデータ／制御情報を送信することができる。一方、従来のＬＴＥは、制御領域内にＰＤＣＣＨ候補領域（以下、ＰＤＣＣＨ探索空間）をあらかじめ予約し、その一部の領域に特定の端末のＰＤＣＣＨを送信する方式を採用している。そのため、端末は、ブラインドデコーディングを用いてＰＤＣＣＨ探索空間から自体のＰＤＣＣＨを取得することができる。同様に、Ｅ−ＰＤＣＣＨも、事前予約されたリソースの一部または全体にわたって送信することができる。
【００８３】
図１０は、Ｅ−ＰＤＣＣＨのためのリソース割当とＥ−ＰＤＣＣＨの受信処理とを例示する。
【００８４】
図１０を参照すると、基地局は、端末にＥ−ＰＤＣＣＨリソース割当（Resource Allocation；ＲＡ）情報を送信する（Ｓ９１０）。Ｅ−ＰＤＣＣＨ ＲＡ情報は、ＲＢ（または、ＶＲＢ（Virtual Resource Block））割当情報を含むことができる。ＲＢ割当情報は、ＲＢ単位またはＲＢＧ（Resource Block Group）単位で与えることができる。ＲＢＧは、２つ以上の連続したＲＢを含む。Ｅ−ＰＤＣＣＨ ＲＡ情報は、上位層（例えば、Radio Resource Control層、ＲＲＣ層）シグナリングを用いて送信することができる。ここで、Ｅ−ＰＤＣＣＨ ＲＡ情報は、Ｅ−ＰＤＣＣＨリソース（領域）（すなわち、ＥＰＤＣＣＨセット）を事前予約するために用いる。その後、基地局は、端末にＥ−ＰＤＣＣＨを送信する（Ｓ９２０）。Ｅ−ＰＤＣＣＨは、ステップＳ９１０で予約されたＥ−ＰＤＣＣＨリソース（例えば、Ｍ個のＲＢ）の一部領域または全領域で送信することができる。したがって、端末は、Ｅ−ＰＤＣＣＨが送信されうるリソース（領域）（以下、Ｅ−ＰＤＣＣＨ探索空間）をモニタリングする（Ｓ９３０）。Ｅ−ＰＤＣＣＨ探索空間として、ステップＳ９１０で割り当てられたＲＢセットの一部を与えることができる。ここで、モニタリングは、探索空間における複数のＥ−ＰＤＣＣＨ候補をブラインドデコーディングすることを含む。ブラインドデコーディングは、Ｅ−ＰＤＣＣＨに適用されたスクランブルシーケンスを用いて行うことができる。
【００８５】
図１１は、Ｅ−ＰＤＣＣＨセットを例示する。
【００８６】
図１１を参照すると、各ＣＣ／セルごとにＫ個のＥ−ＰＤＣＣＨセットを構成することができる。Ｋは、１より大きいまたは等しい特定の上限（例えば、２）より小さいまたは等しい数になり得る。また、それぞれのＥ−ＰＤＣＣＨセットは、（ＰＤＳＣＨ領域に属している）Ｎ個のＰＲＢで構成できる。ここで、Ｎの値およびこれを構成するＰＲＢリソース／インデックスは、Ｅ−ＰＤＣＣＨセットごとに独立して（すなわち、セット−固有に）割り当てることができる。これにより、各Ｅ−ＰＤＣＣＨセットを構成するｅＣＣＥリソースの個数およびインデックスを、（端末−固有に、且つ）セット−固有に設定することができる。それぞれのｅＣＣＥリソース／インデックスにリンクされるＰＵＣＣＨリソース／インデックスも、Ｅ−ＰＤＣＣＨセットごとに独立した開始ＰＵＣＣＨリソース／インデックスを設定することによって、（端末−固有に、且つ）セット−固有に割り当てることができる。ここで、ｅＣＣＥは、（ＰＤＳＣＨ領域内のＰＲＢに属している）複数のＲＥで構成されるＥ−ＰＤＣＣＨの基本制御チャネル単位を意味できる。ｅＣＣＥは、Ｅ−ＰＤＣＣＨの送信形態によって異なる構造を有することができる。一例として、局在送信（localized transmission）のためのｅＣＣＥは、同一のＰＲＢペアに属するＲＥで構成できる。一方、分散送信（distributed transmission）のためのｅＣＣＥは、複数のＰＲＢペアから抽出されたＲＥで構成できる。また、局在ｅＣＣＥの場合、各ユーザに最適のビームフォーミングを行うために、ｅＣＣＥリソース／インデックスごとにＡＰ（Antenna Port）が独立して使用されうる。一方、分散ｅＣＣＥの場合、複数のユーザがＡＰを共通に使用できるように、同一のＡＰセットが互いに異なるｅＣＣＥで反復使用されてもよい。
【００８７】
実施例：Ｅ−ＰＤＣＣＨスクランブル
数式２を参照して説明した通り、ＬＴＥでＬ−ＰＤＣＣＨのためのセル−固有スクランブルシーケンスを生成するためのスクランブルシーケンス生成器は、各サブフレームの開始点で次のセル−固有値に初期化される。
【００８８】
【数２２】
2015534402.tif 000027
【００８９】
一方、スクランブルシーケンスを生成するために用いられる初期値（簡単に、初期値）は、送信チャネルのタイプによって決定することが好ましい。これと関連して、図９に示すように、Ｌ−ＰＤＣＣＨはサブフレームの制御領域に割り当てられ、Ｅ−ＰＤＣＣＨはサブフレームのデータ領域に割り当てられる。そのため、Ｅ−ＰＤＣＣＨスクランブルシーケンスを生成する場合、従来のＰＤＣＣＨとは異なる初期値を用いることが好ましい。
【００９０】
以下、Ｅ−ＰＤＣＣＨスクランブルシーケンスに用いられる初期値を提案する。特別に言及しない限り、本発明でいうスクランブル／スクランブルシーケンスは、Ｅ−ＰＤＣＣＨペイロード（すなわち、ＤＣＩ）に適用されるスクランブル／スクランブルシーケンスを意味し、ＤＣＩ内のＣＲＣに適用されるスクランブル／スクランブルシーケンス（または、マスク／マスクシーケンス）とは区別される。Ｅ−ＰＤＣＣＨの送信／受信に関する動作全般に関する事項は、Ｌ−ＰＤＣＣＨに関する事項（図５〜図６参照）を同一に／類似して適用することができる。
【００９１】
Ｅ−ＰＤＣＣＨは、サブフレームのデータ領域において、ＰＤＳＣＨと、ＦＤＭ（Frequency Division Multiplexing）方式によって多重化される。したがって、Ｅ−ＰＤＣＣＨに対しても、ＰＤＳＣＨに用いられるスクランブルシーケンス初期値を用いる方法を考慮することができる。
【００９２】
【数２３】
2015534402.tif 000028
【００９３】
【数２４】
2015534402.tif 000029
【００９４】
【数２５】
2015534402.tif 000030
【００９５】
したがって、Ｅ−ＰＤＣＣＨスクランブルシーケンスの初期値を、上記と同じ方式を用いて次のように定義することができる。
【００９６】
【数２６】
2015534402.tif 000031
【００９７】
ここで、１つのコードワードは１つのＤＣＩに対応する。したがって、単一のコードワードは、１つのＥ−ＰＤＣＣＨを介して１つのＤＣＩが送信される場合を表し、複数のコードワードは、１つのＥ−ＰＤＣＣＨを介して複数のＤＣＩが送信される場合を表す。
【００９８】
【数２７】
2015534402.tif 000032
【００９９】
【数２８】
2015534402.tif 000033
【０１００】
【数２９】
2015534402.tif 000034
【０１０１】
【数３０】
2015534402.tif 000035
【０１０２】
【数３１】
2015534402.tif 000036
【０１０３】
また、上記の提案方法において、端末がモニタリングしなければならないＤＣＩタイプの種類（例えば、フォールバックＤＣＩ（例えば、ＤＣＩタイプ０／１Ａ）またはＴＭ−固有ＤＣＩ（例えば、ＤＣＩタイプ２Ｃ））によって事前に定義された異なったＲＮＴＩを用いて、それぞれの制御情報を受信するように規則を定めることができる。ここで、特定のＤＣＩタイプと連動しているＲＮＴＩに関する情報は、事前に定義された規則によって暗黙に把握されるようにしたり、または、基地局が端末に事前に定義されたシグナル（上位層シグナリングまたは物理層シグナリング）を用いて知らせることができる。また、上記の方式に関する実施例として、特定のＤＣＩタイプの種類は、事前に定義された規則によって共通探索空間または端末−固有探索空間で送信することができる。
【０１０４】
また、Ｅ−ＰＤＣＣＨリソースマッピングと関連して、局在モード（Localized mode）と分散モード（distributed mode）とではそれぞれ好ましいまたは適用可能な送信方式が異なりうるため、それに応じて上記のスクランブルシーケンス初期化方式を多様化できる。例えば、局在モードでは、各端末に周波数選択スケジューリング方式を用いて信号特性の良い帯域を割り当て、選択的にデータを送信することができる。一方、分散モードは、それぞれの帯域別チャネル品質に関する報告を受けないか、或いはワイドバンドチャネル品質のみを知る場合に好ましい送信方式であるため、空間および／または周波数ダイバーシチなどが得られる送信方式が好ましい。
【０１０５】
したがって、局在モードでは、互いに異なるアンテナポートを用いる端末にそれぞれ専用である（dedicated）プリコーディングを適用してビームフォーミング方式で送信を行うことができ、送信レート（rate）および／またはセル容量（capacity）を増大させるために、複数のレイヤを用いて複数のユーザにＭＩＭＯ方式で送信するＭＵ−ＭＩＭＯ（Multi-User MIMO）方式を用いることができる。しかし、同一の周波数、時間リソースを使って空間ドメイン上で多重化するＭＵ−ＭＩＭＯを用いる場合、端末間で干渉が生じうる。特定の端末の信号には他の端末の信号が干渉として作用し、相互の信号間に相関性（correlation）が生じる場合、干渉を除去することが一層難しくなるため、干渉をランダム化して端末信号と干渉信号とを独立したものにする必要がある。各端末のソース情報（source information)が独立して生成されたとしても、チャネルコーディングなどを経て生成されたコードワードは、各端末間の独立した特性を十分に維持できないことがある。そのため、各コードワードをランダム化して互いに独立したものとすることが必要であり、これは、端末−固有スクランブルシーケンスを用いてなし得る。
【０１０６】
【数３２】
2015534402.tif 000037
【０１０７】
【数３３】
2015534402.tif 000038
【０１０８】
【数３４】
2015534402.tif 000039
【０１０９】
【数３５】
2015534402.tif 000040
【０１１０】
【数３６】
2015534402.tif 000041
【０１１１】
【数３７】
2015534402.tif 000042
【０１１２】
数式８において、Ｘ＝０で、ｑ＝０であってもよい。
【０１１３】
【数３８】
2015534402.tif 000043
【０１１４】
【数３９】
2015534402.tif 000044
【０１１５】
図１４は、本発明の実施例に適用可能な基地局および端末を例示する図である。リレーを含むシステムでは、基地局または端末をリレーに代替してもよい。
【０１１６】
図１４を参照すると、無線通信システムは、基地局（ＢＳ）１１０および端末（ＵＥ）１２０を含む。基地局１１０は、プロセッサ１１２、メモリ１１４および無線周波数（ＲＦ）ユニット１１６を備える。プロセッサ１１２は、本発明で提案した手順および／または方法を具現するように構成できる。メモリ１１４は、プロセッサ１１２に接続し、プロセッサ１１２の動作に関する様々な情報を記憶する。ＲＦユニット１１６は、プロセッサ１１２に接続し、無線信号を送信および／または受信する。端末１２０は、プロセッサ１２２、メモリ１２４およびＲＦユニット１２６を備える。プロセッサ１２２は、本発明で提案した手順および／または方法を具現するように構成できる。メモリ１２４は、プロセッサ１２２に接続し、プロセッサ１２２の動作に関する様々な情報を記憶する。ＲＦユニット１２６は、プロセッサ１２２に接続し、無線信号を送信および／または受信する。基地局１１０および／または端末１２０は、単一のアンテナまたは複数のアンテナを有することができる。
【０１１７】
以上で説明してきた実施例は、本発明の構成要素および特徴を所定形態で組み合わせたものである。各構成要素または特徴は、別の明示的な言及がない限り、選択的なものとして考慮しなければならない。各構成要素または特徴は、他の構成要素や特徴と組み合わせない形態で実施することもでき、一部の構成要素および／または特徴を組み合わせて本発明の実施例を構成することもできる。本発明の実施例で説明される動作の順序は変更可能である。ある実施例の一部構成や特徴は、別の実施例に含めることもでき、別の実施例の対応する構成または特徴に置き換えることもできる。特許請求の範囲において明示的な引用関係にない請求項を組み合わせて実施例を構成したり、出願後の補正によって新しい請求項として含めたりできることは明らかである。
【０１１８】
本文書において、本発明の実施例は主として端末と基地局との間のデータ送受信の関係を中心に説明されている。本文書において基地局によって行われるとした特定の動作は、場合によっては、その上位ノード（upper node）によって行われてもよい。すなわち、基地局を含む複数のネットワークノードからなるネットワークにおいて端末との通信のために行われる様々な動作は、基地局、または基地局以外の別のネットワークノードによって実行できることは明らかである。基地局は、固定局（fixed station）、Ｎｏｄｅ Ｂ、ｅＮｏｄｅ Ｂ（ｅＮＢ）、アクセスポイント（access point）などの用語に代替してもよい。また、端末は、ＵＥ（User Equipment）、ＭＳ（Mobile Station）、ＭＳＳ（Mobile Subscriber Station）などの用語に代替してもよい。
【０１１９】
本発明に係る実施例は、様々な手段、例えば、ハードウェア、ファームウェア（firm ware）、ソフトウェア、またはそれらの組み合わせなどによって具現することができる。ハードウェアによる具現の場合、本発明の一実施例は、一つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０１２０】
ファームウェアやソフトウェアによる具現の場合、本発明の一実施例は、以上で説明された機能または動作を実行するモジュール、手順、関数などの形態として具現することができる。ソフトウェアコードは、メモリユニットに格納され、プロセッサによって駆動することができる。メモリユニットはプロセッサの内部または外部に設けられ、既に公知の様々な手段によってプロセッサとデータを交換することができる。
【０１２１】
本発明は、本発明の特徴を逸脱しない範囲で別の特定の形態で具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の均等範囲内における変更はいずれも本発明の範囲に含まれる。
【産業上の利用可能性】
【０１２２】
本発明は、端末、リレー、基地局などの無線通信装置に用いることができる。
【図１】
2015534402.tif 000057
【図２】
2015534402.tif 000058
【図３】
2015534402.tif 000059
【図４】
2015534402.tif 000060
【図５】
2015534402.tif 000061
【図６】
2015534402.tif 000062
【図７】
2015534402.tif 000063
【図８】
2015534402.tif 000064
【図９】
2015534402.tif 000065
【図１０】
2015534402.tif 000066
【図１１】
2015534402.tif 000067
【図１２】
2015534402.tif 000068
【図１３】
2015534402.tif 000069
【図１４】
2015534402.tif 000070
【国際調査報告】
2015534402.tif 000071
2015534402.tif 000072
2015534402.tif 000073
2015534402.tif 000074